(57)【要約】  レンズ設計の自由度を低下させることなく白内障防止に資するレンズを設計することが可能なエッジを有するトーリック眼用レンズを実現する。トーリック眼用レンズを、光学部の上面視において、光学部のエッジ厚が略一定となる略平坦部が、光学部のトーリック面の強主経線と重なるように設けられている、トーリック眼用レンズとする。
2018105640.tif 000002
【特許請求の範囲】
【請求項１】
光学部の上面視において、前記光学部のエッジ厚が略一定となる略平坦部が、前記光学部のトーリック面の強主経線と重なるように設けられている、ことを特徴とするトーリック眼用レンズ。
【請求項２】
前記略平坦部のエッジ厚は、前記上面視において前記トーリック面の弱主経線と重なる前記光学部のエッジ厚よりも薄く、前記略平坦部を前記トーリック面として形成した場合に前記上面視において前記トーリック面の前記強主経線と重なる前記光学部のエッジ厚よりも厚い、ことを特徴とする請求項１に記載のトーリック眼用レンズ。
【請求項３】
前記略平坦部は、前記トーリック眼用レンズにおいて厚みが所定の最低厚みより薄くなる領域について、トーリック面を、厚みが前記最低厚みとなる平面に置き換えることにより形成されることを特徴とする請求項１または２に記載のトーリック眼用レンズ。
【請求項４】
トーリック眼用レンズの光学部の上面視において、レンズ中心からの距離がｒである位置の前記光学部のエッジ厚ｈ（ｒ）が式（１）及び（２）で与えられる略平坦部を設け
【数１】
2018105640.tif 000019
【数２】
2018105640.tif 000020
Ｈ（Ｈｉｇｈ）は、前記トーリック眼用レンズの強主経線と重なる部分のエッジ厚であり、Ｈ（Ｌｏｗ）は、前記トーリック眼用レンズの弱主経線と重なる部分のエッジ厚である
ことを特徴とするトーリック眼用レンズ。
【請求項５】
前記トーリック眼用レンズのレンズ面上の任意の経線方向における断面形状が
【数３】
2018105640.tif 000021
を含む式で表現され、ｃは前記トーリック眼用レンズにおける近軸曲率であり、ｒは前記トーリック眼用レンズのレンズ中心からの距離であり、ｋは前記トーリック眼用レンズにおけるレンズ光軸に回転対称な面のコーニック定数であり、ｃ、ｒ、ｋは前記レンズ面上の前記経線方向について共通であり、Ａ（θ）およびＢ（θ）は、式（４）および（５）で与えられ
【数４】
2018105640.tif 000022
【数５】
2018105640.tif 000023
前記Ｈ（Ｈｉｇｈ）は、前記トーリック眼用レンズを式（４）及び（５）を用いて設計した場合の強主経線と重なる部分のエッジ厚であり、Ｈ（Ｌｏｗ）は、前記トーリック眼用レンズを式（４）及び（５）を用いて設計した場合の弱主経線と重なる部分のエッジ厚である、ことを特徴とする請求項４に記載のトーリック眼用レンズ。
【請求項６】
前記トーリック眼用レンズの上面視において、前記トーリック眼用レンズのエッジからレンズ中心に向かう方向における前記略平坦部の幅が０．０５ｍｍ以上０．５ｍｍであることを特徴とする請求項１〜５のいずれか一項に記載のトーリック眼用レンズ。
【請求項７】
前記トーリック眼用レンズの上面視において、前記トーリック眼用レンズのエッジからレンズ中心に向かう方向における前記略平坦部の幅が光学部径の１／１００以上、かつ光学部径の１／１０以下であることを特徴とする請求項１〜５のいずれか一項に記載のトーリック眼用レンズ。
【請求項８】
前記トーリック眼用レンズの上面視において、前記トーリック眼用レンズのレンズ中心から見た前記略平坦部が形成されている角度範囲が、前記強主経線を挟んで２０°以上７０°以下であることを特徴とする請求項１〜７のいずれか一項に記載のトーリック眼用レンズ。
【請求項９】
光学部の上面視において、前記光学部のエッジと前記光学部のトーリック面とに連続する面が設けられており、
前記連続する面における前記光学部のエッジ厚が略一定であり、
前記連続する面は、前記光学部のトーリック面の強主経線と重なるように設けられている、ことを特徴とするトーリック眼用レンズ。
【発明の詳細な説明】
【技術分野】
【０００１】
本発明は、乱視矯正用のトーリック眼用レンズに関する。
【背景技術】
【０００２】
乱視矯正用の眼用レンズの例としては、眼鏡やコンタクトレンズ、眼内レンズ等が挙げられる。これらの眼用レンズは、トーリック面と呼ばれる光学面を有する。トーリック面とは、ラグビーボールやドーナツの側面のように、少なくとも２本の経線の曲率半径が異なっているレンズの面形状を指す。そして、このトーリック面を有するレンズは、トーリックレンズ（円環状レンズ）と呼ばれる。【０００３】
トーリック面によって、面上に設定された互いに直交する方向においてレンズの屈折力に差が生じる。この屈折力の差を利用することで乱視を矯正することができる。そして、従来、レンズ面の形状をより柔軟に設計するための技術や眼内レンズの眼内における位置を安定させるための技術が提案されている（特許文献１、２）。また、後発白内障の発症を有利に抑制するように光学部と支持部の接続部を構成する技術も提案されている（特許文献３）。またトーリック面を数式で定義する技術も提案されている（特許文献４）。
【先行技術文献】
【特許文献】
【０００４】
【特許文献１】米国特許第５１７３７２３号明細書
【特許文献２】国際公開第２０１５／１３６９９７号
【特許文献３】国際公開第２００６／１２３４２７号
【特許文献４】特許第４９４５５５８号公報
【発明の概要】
【発明が解決しようとする課題】
【０００５】
しかしながら、従来の乱視矯正用の眼用レンズにおいては、レンズのエッジの厚みを制御することは想定されていないため、エッジの厚みが後発白内障防止の観点からの眼内レンズの設計に支障をきたす可能性がある。つまり、後発白内障防止の観点からすればエッジ厚は所定の厚さ以上であることが望まれるが、単純にエッジ厚を基準にしてレンズ形状を定めるとレンズの中心厚が厚くなるため、小切開による挿入が難しくなり、挿入時の負担を増加させてしまう可能性がある。【０００６】
本件開示の技術は、上記の事情に鑑みてなされたものであり、その目的とするところは、レンズ設計の自由度を低下させることなく後発白内障防止に資するレンズを設計することが可能なトーリック眼用レンズ、すなわち後発白内障防止効果が期待できる厚さのエッジを有し、かつ中心厚が不必要に厚くならないトーリック眼用レンズを実現することである。
【課題を解決するための手段】
【０００７】
本件開示のトーリック眼用レンズは、光学部の上面視において、光学部のエッジ厚が略一定となる略平坦部が、光学部のトーリック面の強主経線と重なるように設けられている。これにより、従来は強主経線方向のエッジ厚が薄くなり、当該部分に支持部を設けると、光学部を眼内の後嚢に押し付ける力を安定して得られない懸念があったが、本件開示のトーリック眼用レンズによれば、当該部分に支持部を設けても所定のエッジ厚が確保されているため光学部を後嚢に押し付ける力を安定して得られ、後発白内障を防止する観点からより自由度の高いレンズ設計が可能となる。また、略平坦部のエッジ厚は、上面視においてトーリック面の弱主経線と重なる光学部のエッジ厚よりも薄く、略平坦部をトーリック面として形成した場合に上面視においてトーリック面の強主経線と重なる光学部のエッジ厚よりも厚い。【０００８】
さらに、略平坦部は、トーリック眼用レンズにおいて厚みが所定の最低厚みより薄くなる領域について、トーリック面を、厚みが最低厚みとなる平面に置き換えることにより形成されてもよい。また、略平坦部を緩い傾斜面や曲面、あるいはそれらを組み合わせた形態にしてもよい。【０００９】
また、トーリック眼用レンズの光学部の上面視において、レンズ中心からの距離がｒである位置の前記光学部のエッジ厚ｈ（ｒ）が式（１）及び（２）で与えられる略平坦部を設け
【数１】
2018105640.tif 000003
【数２】
2018105640.tif 000004
Ｈ（Ｈｉｇｈ）は、前記トーリック眼用レンズの強主経線と重なる部分のエッジ厚であり、Ｈ（Ｌｏｗ）は、前記トーリック眼用レンズの弱主経線と重なる部分のエッジ厚であるとしてもよい。また、Ｈは所定の最低厚さに相当する。【００１０】
また、トーリック眼用レンズのレンズ面上の任意の経線方向における断面形状が
【数３】
2018105640.tif 000005
を含む式で表現され、ｃはトーリック眼用レンズにおける近軸曲率であり、ｒはトーリック眼用レンズのレンズ中心からの距離であり、ｋはトーリック眼用レンズにおけるレンズ光軸に回転対称な面のコーニック定数であり、ｃ、ｒ、ｋはレンズ面上の経線方向について共通であり、Ａ（θ）およびＢ（θ）は、式（４）および（５）で与えられ
【数４】
2018105640.tif 000006
【数５】
2018105640.tif 000007
Ｈ（Ｈｉｇｈ）は、トーリック眼用レンズを式（４）及び（５）を用いて設計した場合の強主経線と重なる部分のエッジ厚であり、Ｈ（Ｌｏｗ）は、トーリック眼用レンズを式（４）及び（５）を用いて設計した場合の弱主経線と重なる部分のエッジ厚であるように構成してもよい。【００１１】
さらに、トーリック眼用レンズの上面視において、トーリック眼用レンズのエッジからレンズ中心に向かう方向における略平坦部の幅が０．０５ｍｍ以上０．５ｍｍ以下としてもよいし、トーリック眼用レンズの上面視において、トーリック眼用レンズのレンズ中心から見た略平坦部が形成されている角度範囲が、強主経線を挟んで２０°以上７０°以下（強主経線に対して片側１０°以上３５°以下）としてもよい。眼内レンズの光学部径は一般的にφ５ｍｍ〜７ｍｍであることから、トーリック眼用レンズの上面視において、トーリック眼用レンズのエッジからレンズ中心に向かう方向における略平坦部の幅Ｌが、（光学部径の１／１００）≦Ｌ≦（光学部径の１／１０）という条件を満たすようにしてもよい。【００１２】
また、本件開示のトーリック眼用レンズを、光学部の上面視において、光学部のエッジと光学部のトーリック面とに連続する面が設けられており、該連続する面における光学部のエッジ厚が略一定であり、該連続する面は、光学部のトーリック面の強主経線と重なるように設けられていてもよい。
【発明の効果】
【００１３】
本件開示の技術によれば、レンズ設計の自由度を低下させることなく白内障防止に資するレンズを設計することが可能なエッジを有するトーリック眼用レンズを実現することができる。
【図面の簡単な説明】
【００１４】
【図１】図１（ａ）〜（ｃ）は、従来のトーリック眼内レンズの一例を示す模式図である。
【図２】図２は、従来のトーリック眼内レンズのエッジ厚の変化の一例を示すグラフである。
【図３】図３（ａ）〜（ｃ）は、一実施形態に係るトーリック眼内レンズの一例を示す模式図である。
【図４】図４は、一実施形態に係るトーリック眼内レンズのエッジ厚の変化の一例を示すグラフである。
【図５】図５は、一変形例に係るトーリック眼内レンズの一例を示す模式図である。
【図６】図６は、別の変形例に係るトーリック眼内レンズの一例を示す模式図である。
【発明を実施するための形態】
【００１５】
以下に、本発明の実施の形態について説明する。なお、以下の説明では、トーリック眼内レンズについて説明するが、本発明はトーリック眼内レンズに限らず、眼鏡レンズなど種々のトーリック眼用レンズにも適用できる。
【００１６】
トーリック眼内レンズでは、トーリック面によって、面上に設定された互いに直交する方向（第１の経線方向と第２の経線方向）においてレンズの屈折力に差が生じる。この屈折力の差を利用することで乱視を矯正することができる。一般に、この屈折力の差は、円柱屈折力と呼ばれる。トーリック面において、屈折力の大きい方向の経線は強主経線と呼ばれ、屈折力の小さい方向の経線は弱主経線と呼ばれる。
【００１７】
まず、本発明の前提となる技術について説明する。本実施形態では、以下の式（６）によりレンズ面を規定して眼内レンズを作製する。なお、式（６）の第１項はレンズの光軸について回転対称のレンズ面を規定し、第２項以降はトーリック面を規定する。
【数６】
2018105640.tif 000008
ここで、ｃは式（６）の第２項以降により規定されるトーリック面を付加する前のレンズの回転対称の基準面の曲率である。ＸとＹは第１の方向及び第２の方向におけるレンズ中心からの距離であり、例えば強主経線方向及び弱主経線方向におけるレンズ中心からの距離である。また、ｒは径方向の距離（ｒ２＝Ｘ２＋Ｙ２）である。また、ｋは式（６）の第２項以降により規定されるトーリック面を付加する前の回転対称の基準面のコーニック定数であり、ｃ、ｒ、及びｋはＸ方向とＹ方向とで共通となっている。また、ａはトーリック面を付加するパラメータである。式（６）の第２項以降の項は、（Ｘ２＋Ｙ２）ｎ（ｎ＝１、２・・・）を展開したときの各項を表す。また、第２項以降の各項の係数は、トーリック面を付加するためのパラメータを表す。なお、式（６）の第１項が、レンズの光軸に対して回転対称のレンズ面を規定する所定の定義式の一例である。また、式（６）の第１項と同等のレンズ面を規定する式であれば、当該第１項は他の式であってもよい。
【００１８】
上記の式を用いるとレンズ全体に亘ってレンズ面を規定することができる。これにより、従来に比べて高い自由度をもってレンズ面を規定することができる。特に、上記のように従来の式では規定できなかったＸ方向及びＹ方向以外（例えばＸ＝Ｙとなる方向）の形状も自由に規定することができる。
【００１９】
また、式（６）の第１項は、球面レンズの式あるいはコーニック定数のみによる非球面レンズの式と同じ形になっている。このため、式（６）を用いてトーリック眼内レンズを設計する場合、トーリック眼内レンズのベース形状を従来と同様に回転対称レンズにすることができる。したがって、式（６）を用いてレンズ設計を行い作製したトーリック眼内レンズは、従来の挿入器にも支障なく装填することができる。
【００２０】
なお、従来ではレンズの４５°方向のエッジ厚を回転対称レンズと統一する方法が提案されているが、エッジ厚の計算はトーリック面のパラメータが決定した後でないと計算できない。一方、本実施形態の式（６）を用いた設計方法では、Ｘ２ｊＹ２（ｎ−ｊ）（ただし、ｊはｎ以外の自然数）の係数を０にする、もしくはａ２ｑｘ＝−ａ２ｑｙ、ａ２ｑｘａ２ｐｙ＝０（ｐ、ｑは自然数）とすればエッジ厚の計算は必要なく、４５°方向のエッジ厚を回転対称レンズと同等な形状を設計することができる。
【００２１】
また、レンズをいわゆるモールド方式で作製する場合、レンズ材料の収縮によるレンズ形状の変化を考慮する必要がある。本実施形態の式（６）を用いてレンズを設計することにより、レンズのベース形状が回転対称レンズと同じであれば、収縮率を回転対称レンズと同等とみなすことができる。したがって、本実施形態のレンズ設計方法によれば、非回転対称レンズであるトーリック眼内レンズで収縮率を評価する従来の方法よりも効率よく収縮率を評価することができる。
【００２２】
また、後述するようにＸ方向及びＹ方向の近軸曲率も容易に計算することができるため、近軸屈折力の計算も容易になる。したがって、式（６）の関数から近軸パワーの計算を容易に行うこともできる。また、式（６）を用いることで、トーリック眼内レンズのＸ方向及びＹ方向における球面収差を制御することができる。このように、式（６）を用いてレンズ設計をすることにより、トーリック眼内レンズのトーリック面を規定するパラメータの自由度が高くなり、様々な収差を従来よりも好適に補正するレンズ面形状を設計することができる。
【００２３】
次に、式（６）について、レンズの光学面の任意の方向（角度θ）における断面形状の表現式を導出する。ここでは、一例として最大次数４次の場合を考える。式（６）においてｘ＝ｒｃｏｓθ、ｙ＝ｒｓｉｎθとすると、以下のように変換して式（７）が得られる。
【数７】
2018105640.tif 000009
ここで
【数８】
2018105640.tif 000010
である。
また、
【数９】
2018105640.tif 000011
である。
【００２４】
式（７）からわかるように、式（６）を用いれば、レンズ面における任意の方向（任意のθ）の断面形状を一般的な光学面定義式で表現することができる。また、設計値との比較や実際に製造されたレンズの任意の断面内における光学シミュレーションを容易に行うことが可能となる。
【００２５】
次に、式（６）、（７）のいずれかを用いて本発明の前提技術を用いて、トーリック眼内レンズを設計した場合の例について以下説明する。なお、この説明においては、トーリック面を山型（上に凸）の光学面として形成するものとする。
【００２６】
図１は、従来のトーリック眼内レンズの光学部１００の一例を示す模式図である。なお、図１では、トーリック眼内レンズの支持部の図示を省略している。また、図１に示す光学部１００において、光学部の光軸に直交するＸＹ平面を設定し、Ｘ軸とＹ軸が互いに直交するものとして説明する。また、ＸＹ平面と直行するＺ軸を設定する。光学部のエッジにおけるＺ軸方向の厚さがエッジ厚に対応する。
【００２７】
また、図１（ａ）、（ｂ）は、光学部１００の側面図であり、図１（ｃ）は、光学部１００をＺ軸の負側、すなわち光学面１０４側からＺ軸の正側、すなわち光学面１０３側に向かって見た図である。
【００２８】
図１（ｃ）に示すように、従来のトーリック眼内レンズの光学部１００の両面は、ＸＹ平面上の全域、すなわちレンズ中心１０１（ＸＹ平面の原点Ｏ）からエッジ１０２にわたる領域に光学面１０３、１０４が形成されている。本実施形態においては、光学面１０３は球面形状または非球面形状でトーリック面は有さない。一方、光学面１０４はトーリック面となっている。また、図１（ａ）に示すように、光学部１００のエッジ１０２には、エッジ厚が他の部分のエッジ厚に比べて薄い薄肉部１０５が形成される。レンズ中心１０１から見て薄肉部１０５が形成されている方向は、いわゆる強主経線の延伸方向に対応している。なお、図１（ｃ）において強主経線はＸ軸と重なっている。
【００２９】
図２に、光学部１００のレンズ中心１０１から見たエッジ厚の角度方向における変化の一例を示す。ここで縦軸Ｚ（ｍｍ）は、光学面１０４におけるザグ量である。図２のグラフにおいて、横軸の角度（φ；単位：°）が０°および１８０°の方向が、光学部１００の弱主経線方向である。また、角度が９０°の方向が、光学部１００の強主経線方向である。なお、角度が１８０°〜３６０°の範囲におけるエッジ厚の変化は、角度が０°〜１８０°の範囲におけるエッジ厚の変化と同じである。図２に示すように、光学部１００のエッジ厚は、強主経線方向において最も薄くなる。
【００３０】
このため、薄肉部１０５に支持部を設けるレンズ設計の場合、エッジ厚の薄い部分に支持部を接続することになるため、光学部を後嚢に押し付ける力が安定して得られない懸念があり、後発白内障を防止する観点から望ましいレンズ設計とは言えない可能性がある。
【００３１】
これに対して、図３に、本実施形態に係るトーリック眼内レンズの光学部２００の一例を模式的に示す。図１と同様、図３では、トーリック眼内レンズの支持部の図示を省略している。また、光学部１００と同様、光学部２００において、光学部の光軸に直交するＸＹ平面を設定し、Ｘ軸とＹ軸が互いに直交するものとして説明する。また、ＸＹ平面と直行するＺ軸を設定する。光学部のエッジにおけるＺ軸方向の厚さがエッジ厚に対応する。図３（ａ）、（ｂ）は、光学部２００の側面図であり、図３（ｃ）は、光学部２００をＺ軸の負側、すなわち光学面２０４側からＺ軸の正側、すなわち光学面２０３側に向かって見た図である。なお、図３においても、光学面２０３は球面形状または非球面形状でトーリック面は有さない。一方、光学面２０４はトーリック面となっている。
【００３２】
本実施形態におけるトーリック眼内レンズの光学部２００は、レンズ中心２０１（ＸＹ平面の原点Ｏ’）における中心厚は、従来のトーリック眼内レンズの光学部１００のレンズ中心１０１における中心厚と同等であるが、エッジ２０２にエッジ厚が略一定となる略平坦部（以下「平坦部」と称する）２０５が形成されている。平坦部２０５は、レンズ中心２０１から見て強主経線と重なるエッジを含むように形成されている。なお、図１（ｃ）と同様、図３（ｃ）において強主経線はＸ軸と重なっている。したがって、本実施形態では、図３（ｃ）に示すように、エッジ２０２には、２つの平坦部２０５が、光学部２００の一方のレンズ面２０４の周囲に形成されている。また、平坦部２０５は、光学部２００の上面視において、Ｘ軸と重なりレンズ中心２０１を挟むように形成されている。なお、平坦部２０５が、光学部の上面視において、光学部のエッジと光学部のトーリック面とに連続する面の一例である。
【００３３】
ここで、図３（ａ）に示すように平坦部２０５においてレンズ中心２０１からの半径ｒの位置におけるエッジ厚をｈ（ｒ）とする。このｈ（ｒ）を適切に定めることで、図３（ｃ）に示す光学部２００の上面視において、レンズ中心２０１から見た平坦部２０５が形成されている角度φの範囲と、平坦部２０５のＸ軸方向（光学部の半径方向）における幅Ｌとが定まる。（光学面２０４のトーリック面は定義されているので、エッジ厚ｈ（ｒ）が定まると光学面２０４のトーリック面と平坦部２０５の平面との交線が定まる。）本実施形態では、一例として、平坦部２０５における最小エッジ厚Ｈは、０．０１ｍｍ≦Ｈ−Ｈ（ｈｉｇｈ）≦０．０５ｍｍを満たすように設定され、エッジ厚ｈ（ｒ）がＨより薄くなる領域については、ｈ（ｒ）＝Ｈとなるように構成してもよい。本実施形態においてトーリックレンズ平坦部２０５は、その形状がＸ軸、すなわち強主経線に対して線対称となるように設けられる。
【００３４】
本実施形態においては、上述のように、平坦部２０５におけるエッジ厚ｈ（ｒ）が定まれば、平坦部２０５の平面形状は定まる。しかしながら、本実施形態においては、平坦部２０５の平面形状を先ず（優先的に）定めてもよい。例えば、平坦部２０５の端部Ｅにおける角度φは、５５°≦φ≦８０°を満たすように設定とされてもよい。そうすると、トーリック眼内レンズのレンズ中心から見た平坦部が形成されている角度範囲（角度幅）が、強主経線を挟んで２０°〜７０°（強主経線に対して片側１０°〜３５°）となる。また、平坦部２０５のＸ軸方向における幅Ｌは０．０５ｍｍ≦Ｌ≦０．５ｍｍを満たすように設定されてもよい。眼内レンズの光学部径は一般的にφ５ｍｍ〜７ｍｍであることから、トーリック眼用レンズの上面視において、トーリック眼用レンズのエッジからレンズ中心に向かう方向における平坦部の幅Ｌが、（光学部径の１／１００）≦Ｌ≦（光学部径の１／１０）という条件を満たすようにしてもよい。これらの場合には、平坦部２０５の角度範囲（角度幅）または、平坦部２０５の幅Ｌを決めることにより、エッジ厚ｈ（ｒ）が定まる。
【００３５】
また、平坦部２０５におけるエッジ厚ｈ（ｒ）は、光学部２００の弱主経線側のエッジ厚より薄く、かつ、平坦部２０５を光学部１００のトーリック面として形成した場合のエッジ厚よりも厚くなるように設定される。エッジ厚ｈ（ｒ）をこのように設定することで、光学部２００の弱主経線側のエッジ厚、すなわちＹ軸と重なる部分のエッジ厚は、従来の光学部１００と同様に構成できる。したがって、本実施形態によれば、平坦部２０５のエッジ厚のみを制御し、その他の部分のエッジ厚の制御については考慮しなくてもよいため、光学部２００の平坦部２０５のエッジ厚の制御が容易になる。
【００３６】
図４に、光学部２００のレンズ中心２０１から見たエッジ厚の角度方向における変化の一例を示す。図４のグラフにおいて、横軸の角度（φ；単位：°）および縦軸のサグ量（Ｚ；単位：ｍｍ）は、図２と同じである。図４に示す例では、光学部２００のエッジ厚は、強主経線方向（φ＝９０°）を挟んで７０°〜１１０°の範囲において一定となっている。すなわち、この範囲において、平坦部２０５が形成されている。なお、図４に示す例では、図３における角度φは７０°である。
【００３７】
このため、平坦部２０５に支持部を設けるレンズ設計の場合でも、光学部１００の薄肉部１０５に支持部を設ける場合とは異なり、エッジ厚が所定の厚さで確保されているため、支持部によって光学部が後嚢に押し付けられる力が安定して得られることとなり、後発白内障の防止に資するレンズ設計となる。
【００３８】
また、本実施形態において、上記の式（６）、（７）のいずれかの式を用いてトーリック眼内レンズの光学部２００を設計する場合に、以下の式（８）、（９）による条件を追加する。
【数１０】
2018105640.tif 000012
【数１１】
2018105640.tif 000013
すなわち、本実施形態においては、上記の式（６）、（７）のいずれかの式を用いて、トーリック眼内レンズの光学部２００を設計した場合に、エッジ厚ｈ（ｒ）がＨより薄くなる領域については、ｈ（ｒ）＝Ｈとする。ここで、Ｈ（Ｈｉｇｈ）は、光学部２００を従来の光学部１００として設計した場合の強主経線（図中Ｘ軸）と重なる部分のエッジ厚であり、Ｈ（Ｌｏｗ）は、光学部２００を従来の光学部１００として設計した場合の弱主経線（図中Ｙ軸）と重なる部分のエッジ厚である。ここで、Ｈは所定の最低厚さに相当する。
【００３９】
従来のトーリック眼内レンズの光学部の構成ではエッジ厚が薄くなることで、白内障防止の観点からトーリック眼内レンズを設計する上で支障をきたす可能性があったが、本実施形態によれば、上記の条件に基づいて式（６）、（７）のいずれかを用いて、光学部２００を設計することで、従来よりも白内障防止に資するトーリック眼内レンズの光学部を実現することができる。
【００４０】
本実施形態のトーリック眼内レンズはモールド製法で作製しても切削加工製法で作製してもよい。ただし、トーリック面の加工は回転速度と同期させながら加工ツールを光軸方向に移動可能な旋盤加工機で行うことが望ましい。なお、本実施例においては、光学面２０４がトーリック面、光学面２０３が球面または非球面である例について説明したが、本発明が適用される光学面の構成はこれに限られない。光学面２０４が非球面トーリック面を有してもよいし、光学面２０３と光学面２０４の両方がトーリック面を含んでいてもよい。光学面２０３と光学面２０４の両方がトーリック面であり、強主経線が共通する場合には、エッジ厚ｈ（ｒ）は、光学面２０３の強主経線における厚さと、平坦部２０５の厚さの差ということになる。
【００４１】
以上が本実施形態に関する説明であるが、上記のトーリック眼内レンズの構成は、上記の実施形態に限定されるものではなく、本発明の技術的思想と同一性を失わない範囲内において種々の変更が可能である。例えば、上記のトーリック眼内レンズの設計においては、以下の変形例に示すように、上記の式（６）、（７）以外の式を用いてもよく、その場合に上記の式（８）、（９）に示す条件を加えて設定すればよい。また、上記の実施形態における、角度φ、幅Ｌ、エッジ厚ｈ（ｒ）のそれぞれの値の範囲は一例に過ぎず、上記の範囲に限定する趣旨ではない。さらに、上記の実施形態では、光学部２００の上面視において、平坦部２０５はＸ軸に対して線対称となるように形成されているが、光学部２００のトーリック面の強主経線（Ｘ軸）と重なるように形成されていれば、Ｘ軸に対して線対称とならなくてもよい。また、平坦部２０５の部分を緩い傾斜面や曲面、あるいはそれらを組み合わせたような形態にしてもよい。
【００４２】
このようなトーリック眼内レンズの設計方法により、光学部の上面視において、光学部のエッジと光学部のトーリック面とに連続する面（平坦部２０５）が設けられており、当該連続する面における光学部のエッジ厚が略一定であり、当該連続する面は、光学部のトーリック面の強主経線と重なるように設けられているトーリック眼内レンズを設計することができる。
【００４３】
次に、上記の実施形態の変形例について、以下に説明する。以下の説明において、トーリック眼内レンズの強主経線方向をＸ方向、弱主経線方向をＹ方向とするが、ＸとＹは逆でもよい。なお、以下に説明する式の導出の詳細については、上記の各特許文献に記載されているため、説明を省略する。従来のトーリック面を規定する式として、Ｘ軸と光軸を含む平面によるレンズ断面の形状を表す式（１０）と、Ｙ軸と光軸を含む平面によるレンズ断面を表す式（１１）が挙げられる。ここで、Ｒｘ及びＲｙは、Ｘ軸と光軸を含む平面によるレンズ断面の曲率半径及びＹ軸と光軸を含む平面によるレンズ断面の曲率半径をそれぞれ表す。なお、Ｒｘ≠Ｒｙである。ｃｘ及びｃｙは、Ｘ軸と光軸を含む平面によるレンズ断面の曲率及びＹ軸と光軸を含む平面によるレンズ断面の曲率をそれぞれ表す。ここで、ｃｘ＝１／Ｒｘ、ｃｙ＝１／Ｒｙである。ｋｘ及びｋｙは、Ｘ方向におけるコーニック定数（円錐定数）及びＹ方向におけるコーニック定数をそれぞれ表す。なお、特許文献４（特許第４９４５５５８号）にはｋｘ≠ｋｙとの記載がある。
【数１２】
2018105640.tif 000014
【数１３】
2018105640.tif 000015
【００４４】
また、従来のトーリック眼内レンズの設計に用いられる式として、式（１０）、（１１）の代わりに式（１２）、（１３）が挙げられる。なお、Ｒｘ≠Ｒｙである。また、特許４９４５５５８号にはｋｘ≠ｋｙとの記載がある。
【数１４】
2018105640.tif 000016
【数１５】
2018105640.tif 000017
【００４５】
式（１０）及び（１１）、あるいは式（１２）及び（１３）を用いる場合、Ｘ方向及びＹ方向のレンズ断面の形状が規定できるだけで、レンズ全体の断面形状は規定できない。
【００４６】
あるいは式（１４）を用いてトーリック眼内レンズを設計する方法もある。
【数１６】
2018105640.tif 000018
【００４７】
上記の式（１０）〜（１４）を用いてトーリック眼内レンズを設計する場合に、式（８）、（９）の条件を追加して設計することで、上記の実施形態と同様に光学部の強主経線方向におけるエッジ厚を所定の厚さで確保することで、後発白内障の防止に資するレンズ設計を行うことができる。
【００４８】
図５、６に上記の実施形態の変形例に係るトーリック眼内レンズ３００、４００の概略構成を示す部分拡大図を示す。なお、図５、６に示されていない構成は、上記のトーリック眼内レンズ２００の構成と同じであるため、図示および詳細な説明は省略する。本変形例に係るトーリック眼内レンズ３００、４００には、上記のトーリック眼内レンズ２００の平坦部２０５の代わりに、それぞれ曲面部３０５、傾斜部４０５が形成されている。上記の平坦部２０５と同様、曲面部３０５および傾斜部４０５は、光学面２０４とは異なり、トーリック眼内レンズとしての収差補正機能を発揮させることを目的として形成された部分ではない。この点で、光学部のエッジと光学部のトーリック面とに連続する面を有する部分として、上記の平坦部２０５だけでなく、傾斜部４０５も含まれると言える。さらに、光学面２０４とは光学的な機能の点で異なる面を有する曲面部３０５も、光学部のエッジと光学部のトーリック面とに連続する面を有する部分に含まれると言える。
【００４９】
このように、曲面部３０５が形成されたトーリック眼内レンズ３００または傾斜部４０５が形成されたトーリック眼内レンズ４００を採用する場合も、上記のトーリック眼内レンズ２００と同様に、エッジ厚が所定の厚さで確保されているため、支持部によって光学部が後嚢に押し付けられる力が安定して得られることとなり、後発白内障の防止に資するレンズ設計となる。
【００５０】
さらに、上記のトーリック眼内レンズ２００、３００、４００の設計方法によれば、エッジ厚を決定する際に、光学部の中心厚を従来のトーリック眼内レンズ１００の設計における中心厚よりも薄くすることができる効果も期待できる。すなわち、上記の実施形態に係る設計方法によれば、光学部の中心厚を従来のトーリック眼内レンズの設計における中心厚よりも薄く設定しても、上記のエッジ厚を確保することができると言える。
【符号の説明】
【００５１】
２００    光学部
２０２    エッジ
２０５    平坦部
【図１】
2018105640.tif 000024
【図２】
2018105640.tif 000025
【図３】
2018105640.tif 000026
【図４】
2018105640.tif 000027
【図５】
2018105640.tif 000028
【図６】
2018105640.tif 000029
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
光学部の上面視において、前記光学部のエッジ厚が略一定となる略平坦部が、前記光学部のトーリック面の弱主経線には重ならずに強主経線と重なるように設けられており、更に、前記トーリック面と前記略平坦部との境界に交線が形成されるように設けられている、ことを特徴とするトーリック眼用レンズ。
【請求項２】
前記略平坦部のエッジ厚は、前記上面視において前記トーリック面の弱主経線と重なる前記光学部のエッジ厚よりも薄く、前記略平坦部を前記トーリック面として形成した場合に前記上面視において前記トーリック面の前記強主経線と重なる前記光学部のエッジ厚よりも厚い、ことを特徴とする請求項１に記載のトーリック眼用レンズ。
【請求項３】
前記略平坦部は、前記トーリック眼用レンズにおいて厚みが所定の最低厚みより薄くなる領域について、トーリック面を、厚みが前記最低厚みとなる平面に置き換えることにより形成されることを特徴とする請求項１または２に記載のトーリック眼用レンズ。
【請求項４】
トーリック眼用レンズの光学部の上面視において、レンズ中心からの距離がｒである位置の前記光学部のエッジ厚ｈ（ｒ）が前記光学部のエッジの何れの部位においても式（１）を満たし、前記光学部のエッジに設けられる略平坦部のエッジ厚を表すエッジ厚Ｈが式（２）を満たし
【数１】
2018105640.tif 000030
【数２】
2018105640.tif 000031
Ｈ（Ｈｉｇｈ）は、前記略平坦部が無い場合における前記トーリック眼用レンズの強主経線と重なる部分のエッジ厚であり、Ｈ（Ｌｏｗ）は、前記略平坦部が無い場合における前記トーリック眼用レンズの弱主経線と重なる部分のエッジ厚である
ことを特徴とするトーリック眼用レンズ。
【請求項５】
前記トーリック眼用レンズのレンズ面上の任意の経線方向における断面形状が
【数３】
2018105640.tif 000032
を含む式で表現され、ｃは前記トーリック眼用レンズにおける近軸曲率であり、ｒは前記トーリック眼用レンズのレンズ中心からの距離であり、ｋは前記トーリック眼用レンズにおけるレンズ光軸に回転対称な面のコーニック定数であり、ｃ、ｒ、ｋは前記レンズ面上の前記経線方向について共通であり、Ａ（θ）およびＢ（θ）は、式（４）および（５）で与えられ
【数４】
2018105640.tif 000033
【数５】
2018105640.tif 000034
前記Ｈ（Ｈｉｇｈ）は、前記トーリック眼用レンズを式（４）及び（５）を用いて設計した場合の強主経線と重なる部分のエッジ厚であり、Ｈ（Ｌｏｗ）は、前記トーリック眼用レンズを式（４）及び（５）を用いて設計した場合の弱主経線と重なる部分のエッジ厚である、ことを特徴とする請求項４に記載のトーリック眼用レンズ。
【請求項６】
前記トーリック眼用レンズの上面視において、前記トーリック眼用レンズのエッジからレンズ中心に向かう方向における前記略平坦部の幅が０．０５ｍｍ以上０．５ｍｍ以下であることを特徴とする請求項１〜５のいずれか一項に記載のトーリック眼用レンズ。
【請求項７】
前記トーリック眼用レンズの上面視において、前記トーリック眼用レンズのエッジからレンズ中心に向かう方向における前記略平坦部の幅が光学部径の１／１００以上、かつ光学部径の１／１０以下であることを特徴とする請求項１〜５のいずれか一項に記載のトーリック眼用レンズ。
【請求項８】
前記トーリック眼用レンズの上面視において、前記トーリック眼用レンズのレンズ中心から見た前記略平坦部が形成されている角度範囲が、前記強主経線を挟んで２０°以上７０°以下であることを特徴とする請求項１〜７のいずれか一項に記載のトーリック眼用レンズ。
【請求項９】
光学部の上面視において、前記光学部のエッジと前記光学部のトーリック面とに連続する面が設けられており、
前記連続する面における前記光学部のエッジ厚が略一定であり、
前記連続する面は、前記光学部のトーリック面の弱主経線には重ならずに強主経線と重なるように設けられており、更に、前記トーリック面と前記連続する面との境界に交線が形成されるように設けられている、ことを特徴とするトーリック眼用レンズ。
【国際調査報告】
2018105640.tif 000035
2018105640.tif 000036
2018105640.tif 000037
2018105640.tif 000038
2018105640.tif 000039
2018105640.tif 000040
2018105640.tif 000041
2018105640.tif 000042